(57)【要約】【課題】  本発明は、反射光下で観察できる画像の視認性が高く、透過光下では全く相関のない異なる画像に変化する真偽判別と偽造防止効果に優れた透過潜像印刷物を提案することを目的とする。【解決手段】  基材上に、光透過性を有する印刷領域を備え、印刷領域の中に基材と異なる色彩の印刷模様を備え、印刷模様は、有彩色の第一のインキにより形成された第一の画像と、第二のインキにより形成れた第二の画像とを有し、第一の画像は、情報部と潜像カモフラージュ部とに異なる情報として区分けされ、第二の画像は、潜像部と情報カモフラージュ部とに異なる情報として区分けされ、潜像カモフラージュ部と潜像部は、ネガポジ反転した構成の画像で、反射光下において等色に形成され、情報カモフラージュ部と情報部は、ネガポジ反転した構成の画像で、透過光下において等色に形成されたことを特徴とする透過潜像印刷物。【選択図】  図２
2016016649.tif 000002
【特許請求の範囲】
【請求項１】
基材上の少なくとも一部に、光透過性を有する印刷領域を備え、前記印刷領域の中に複数の要素からなる前記基材と異なる色彩の印刷模様を備え、
前記印刷模様は、有彩色の第一のインキにより形成された第一の画像と、反射光下において同じ色相であるが前記第一のインキより少なくとも明度が高いことで色彩が異なり、かつ、前記第一のインキより光透過性の低い第二のインキにより形成れた第二の画像とを有し、
前記第一の画像は、少なくとも要素の位相が異なることで情報部と潜像カモフラージュ部とに異なる情報として区分けされ、
前記第二の画像は、少なくとも要素の位相が異なることで潜像部と情報カモフラージュ部とに異なる情報として区分けされ、
前記潜像カモフラージュ部と前記潜像部は、ネガポジ反転し、かつ、所定の範囲において面積率の差を有する構成の画像で、かつ、反射光下において等色に形成され、
前記情報カモフラージュ部と前記情報部は、ネガポジ反転した構成の画像で、透過光下において等色に形成され、
反射光下において、前記情報カモフラージュ部とのインキの色彩の違いにより前記情報部が視認でき、透過光下において、前記潜像カモフラージュ部との面積率の差により前記潜像部が視認可能なことを特徴とする透過潜像印刷物。
【請求項２】
前記第二のインキは、二酸化チタンを含んでいることを特徴とする請求項１記載の透過潜像印刷物。
【請求項３】
前記印刷領域が浸透性を有し、かつ、前記第一のインキは浸透成分を含んでいることを特徴とする請求項１又は２記載の透過潜像印刷物。
【請求項４】
前記各要素が、重畳されずに配置されることを特徴とする請求項１乃至３いずれか一項に記載の透過潜像印刷物。
【請求項５】
前記第二のインキは、前記第一のインキより彩度が高いことを特徴とする請求項１乃至４いずれか一項に記載の透過潜像印刷物。
【発明の詳細な説明】
【技術分野】
【０００１】
本発明は、偽造防止効果を必要とするセキュリティ印刷物である銀行券、パスポート、有価証券、身分証明書、カード、通行券等の貴重印刷物の分野において、反射光下と透過光下で画像が変化する透過潜像印刷物に関わるものである。
【背景技術】
【０００２】
近年のスキャナ、プリンタ、カラーコピー機等のデジタル機器の進展により、貴重印刷物の精巧な複製物を容易に作製することが可能となっている。そのため、前述したような複製や偽造を防止するため、プリンタやコピー機では、再現不可能な様々な偽造防止技術が必要とされている。
【０００３】
この偽造防止技術の一つとして、繊維の粗密や用紙の薄厚によって模様を形成して透過光下で視認させる、いわゆる透かし技術が存在する。この透かし技術は、一定量以上の光さえ存在すれば、あらゆる環境下で真偽判別が可能な技術であり、また、知名度も抜群に高いことから、古くから存在する古典的な技術であるにも関わらず、今なお世界中の銀行券で用いられている。
【０００４】
透かし技術は、用紙の製造段階で形成する必要があることから、用紙メーカでなければ製造困難であり、加えて用紙メーカが製造した場合でも製造コストが高くなるという問題があることから、これを擬似的に再現する方法として、印刷工程で特殊な浸透型インキを用いて、この透かしに相当する透過画像を印刷で形成する偽造防止技術が存在する（例えば、特許文献１参照）。
【０００５】
しかしながら、浸透型インキを用いて透過光下で透かしのような透過画像を認証する透かし印刷を用いた偽造防止技術に関しては、浸透型インキ自体が多くのメーカから市販されており、一般の人であっても容易に入手可能であることから、偽造者にとっても作製が容易であるという問題があった。
【０００６】
このような問題を解決するために、本出願人はすでに、反射光下では等色に観察されるが、透過率が異なる二つのインキをペアインキとして用いて印刷画像を形成する技術であって、反射光下と透過光下とで観察される画像が変化する、真偽判別と偽造防止効果に優れた透過潜像印刷物を出願している（例えば、特許文献２、特許文献３参照）。
【０００７】
また、本出願人は、浸透型インキに着色顔料を混合した有色浸透インキと有色浸透インキと等色の反射インキをペアインキとして、特殊で複雑な網点構成によって画像を形成する印刷物であって、反射光下で観察できる画像と透過光下で観察できる画像とが全く相関のない異なる画像であることを特徴とする透過潜像印刷物をすでに出願している（例えば、特許文献４参照）。
【先行技術文献】
【特許文献】
【０００８】
【特許文献１】特開平０６−２２８９００号公報
【特許文献２】特許第５２３３０５７号公報
【特許文献３】特許第５３１５５８０号公報
【特許文献４】特開２０１２−２２３９０５号公報
【発明の概要】
【発明が解決しようとする課題】
【０００９】
特許文献２から特許文献４に記載の技術はいずれも反射光下で等色であって、透過光下で異色に見える等色ペアインキを用いて形成する技術である。このような特徴を有するペアインキは、一方のインキに浸透成分を有するワニスを用い、もう一方のインキに通常型のワニスを用い、それぞれのワニスに同じ着色顔料を同じ分量配合すれば、この後、微量の着色顔料を添加して色彩を微調整するだけで作製できてしまうという問題があった。
【００１０】
特許文献２から特許文献４に記載の技術は、いずれも極端に淡い濃度の等色ペアインキを用いて形成する必要があり、潜像印刷物の色彩は淡いモノトーン調に制限されるために色彩表現に乏しいという問題があった。加えて、このペアインキの濃度は極端に淡いために潜像領域以外の他の部分への流用も難しい。潜像印刷物を搭載したセキュリティ印刷物の製造にあたっては、このような専用のペアインキによって印刷機の印刷胴を２胴も占有されてしまうため、潜像画像以外に使用できる色数も限定され、セキュリティ印刷物全体の色彩をデザインする上で大きな制約となっていた。
【００１１】
特許文献３及び特許文献４の技術において、反射光下で観察される可視画像の視認性を高く構成した場合には、透過光下で可視画像が消失しきらずに潜像画像と同時に視認されてしまうという問題があり、反射光下で観察される可視画像の視認性を低く抑える必要があった。
【００１２】
本発明は、前述した課題の解決を目的とし、ペアインキの偽造が困難であって偽造抵抗力に優れ、かつ、デザイン上や製造上の自由度の拡大を目的とするものであり、印刷画像の色彩が極めて淡い濃度に制限されることがなく、明度と光透過性の両方を異ならせて二つの領域を形成する印刷物であって、反射光下で観察できる画像の視認性が高く、透過光下では全く相関のない異なる画像に変化することを特徴とする真偽判別と偽造防止効果に優れた透過潜像印刷物に関するものである。
【課題を解決するための手段】
【００１３】
本発明の透過潜像印刷物は、基材上の少なくとも一部に、光透過性を有する印刷領域を備え、印刷領域の中に複数の要素からなる基材と異なる色彩の印刷模様を備え、印刷模様は、有彩色の第一のインキにより形成された第一の画像と、反射光下において同じ色相であるが第一のインキより少なくとも明度が高いことで色彩が異なり、かつ、第一のインキより光透過性の低い第二のインキにより形成れた第二の画像とを有し、第一の画像は、少なくとも要素の位相が異なることで情報部と潜像カモフラージュ部とに異なる情報として区分けされ、第二の画像は、少なくとも要素の位相が異なることで潜像部と情報カモフラージュ部とに異なる情報として区分けされ、潜像カモフラージュ部と潜像部は、ネガポジ反転し、かつ、所定の範囲において面積率の差を有する構成の画像で、かつ、反射光下において等色に形成され、情報カモフラージュ部と情報部は、ネガポジ反転した構成の画像で、透過光下において等色に形成され、反射光下において、情報カモフラージュ部とのインキの色彩の違いにより情報部が視認でき、透過光下において、潜像カモフラージュ部との面積率の差により潜像部が視認可能なことを特徴とする。
【００１４】
また、本発明の透過潜像印刷物の第二のインキは、二酸化チタンを含んでいることを特徴とする。
【００１５】
また、本発明の透過潜像印刷物の印刷領域が浸透性を有し、第一のインキは、浸透成分を含んでいることを特徴とする。
【００１６】
また、本発明の透過潜像印刷物の各要素が、重畳されずに配置されることを特徴とする。
【００１７】
また、本発明の透過潜像印刷物の第二のインキは、第一のインキより彩度が高いことを特徴とする。
【発明の効果】
【００１８】
本発明の透過潜像印刷物は、反射光下で異色であって、透過光下で等色に変化する二つのインキから成る。このペアインキは、従来のような反射光下で等色であって、透過光下で異色に変化するペアインキのように、同じ顔料を同じ量配合するだけでは作製不可能であり、作製にはより専門的な知識が必要となる。このため、従来のペアインキを用いて形成する潜像印刷物と比較すると、作製が困難であって、偽造抵抗力が高い。
【００１９】
本発明の透過潜像印刷物の印刷模様は、従来の技術の印刷模様と異なり、印刷模様は色彩の異なる二つのインキによって形成される。このため、印刷模様の色彩は従来技術のようにモノトーン調に制限されず、複数の異なる色彩で構成することができ、また色濃度も極端に淡い必要もないため、従来の技術と比較して格段に色彩豊かな表現が可能となる。加えて、ペアインキは、一般的な着色インキと遜色ない反射濃度を有するため、セキュリティ印刷物中の本発明の印刷画像が付与された以外の印刷領域にもそれぞれ流用することができるため、従来の技術と比較してセキュリティ印刷物全体も色彩表現に優れたデザインとすることができる。
【００２０】
本発明の透過潜像印刷物は、反射光下で観察される可視画像の視認性を高く構成した場合でも、透過光下で完全に可視画像を消失させることが可能であり、反射光下で観察される可視画像の視認性を高くすることができる。
【００２１】
以上の手法で形成した透過潜像印刷物は、生産性の高い印刷方式であるオフセット印刷で製造可能であることからコストパフォーマンスに優れ、また最新のデジタル機器を用いたとしても透過画像の再現は不可能であることから、偽造防止効果に優れる。また、特別な道具を用いることがなく透かすだけで認証できるため、判別性にも優れる。
【図面の簡単な説明】
【００２２】
【図１】本発明の本実施形態における透過潜像印刷物を示す。
【図２】本実施形態における印刷模様の構成の概要の一例を示す。
【図３】本実施形態における印刷模様の具体的な構成を示す。
【図４】本実施形態における第一の画像の具体的な構成を示す。
【図５】本実施形態における第二の画像の具体的な構成を示す。
【図６】本実施形態における透過潜像印刷物の視認状態を説明するための図を示す。
【図７】本発明の第二の実施形態における印刷模様を示す。
【図８】第二の実施形態における印刷模様の具体的は構成を示す。
【図９】本発明における実施例の透過潜像印刷物を示す。
【図１０】本発明における実施例の印刷模様の構成の概要の一例を示す。
【図１１】本発明における実施例の印刷模様の具体的な構成を示す。
【図１２】本発明における実施例の第一の画像の具体的な構成を示す。
【図１３】本発明における実施例の第二の画像の具体的な構成を示す。
【図１４】発明における実施例の透過潜像印刷物の視認状態を説明するための図を示す。
【発明を実施するための形態】
【００２３】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２４】
（実施の形態）
図１に、本発明における透過潜像印刷物（１）を示す。透過潜像印刷物（１）は、基材（２）の上の少なくとも一部に、光透過性を有する印刷領域（２Ａ）を備え、印刷領域（２Ａ）の中には、基材（２）と異なる二つの色彩を有する印刷模様（３）が形成されて成る。
【００２５】
本発明における印刷領域（２Ａ）は、上質紙やコート紙、透明なフィルムやプラスティックのように、光を透過する特性、いわゆる光透過性を有する必要がある。不透明なプラスティックや金属では透過光下での効果は得られない。基材（２）の色彩については特に制約はない。また、印刷模様（３）の二つの色彩は基材（２）と異なる色彩であれば、如何なる色彩であっても良い。
【００２６】
図２に、印刷模様（３）の構成の概要を示す。印刷模様（３）は、それぞれ二つの色彩の異なるインキによって構成される。この二つのインキとは、第一のインキ及び第二のインキである。第一のインキと第二のインキはいずれも透明以外の基材と異なる色彩であって、反射光下において色相は同じだが、明度及び彩度が異なるため色彩が異なり、加えて光透過性が異なる。第一のインキと第二のインキの具体的な色彩や光学特性については後述する。
【００２７】
図２に示す印刷模様（３）は、第一のインキで形成される第一の画像（４）と第二のインキで形成される第二の画像（５）とに区分けされる。印刷模様（３）全体としては、情報部（４Ａ）、潜像カモフラージュ部（４Ｂ）、潜像部（５Ａ）、情報カモフラージュ部（５Ｂ）の四種類の画像要素に区分けされる。本実施の形態において第一のインキで形成される第一の画像（４）は、情報部（４Ａ）及び潜像カモフラージュ部（４Ｂ）を有し、情報部（４Ａ）は反射光下で視認される第一の有意情報を表す。本実施の形態における第一の有意情報とはアルファベットの「Ａ」の文字である。また、潜像カモフラージュ部（４Ｂ）は、潜像部（５Ａ）が表す第二の有意情報を濃淡反転させた構成を有し、潜像部（５Ａ）が表す第二の有意情報を反射光下で隠蔽する働きを成す。本実施の形態における第二の有意情報とはアルファベットの「Ｂ」の文字である。
【００２８】
第二のインキで形成される第二の画像（５）は、潜像部（５Ａ）及び情報カモフラージュ部（５Ｂ）を有する。潜像部（５Ａ）は、透過光下で視認される第二の有意情報を表す。情報カモフラージュ部（５Ｂ）は、情報部（４Ａ）が表す第一の有意情報を濃淡反転させた構成を有し、情報部（４Ａ）が表す第一の有意情報を透過光下で隠蔽する働きを成す。
【００２９】
図３に印刷模様（３）の一部の画線構成を拡大して示す。本発明では画像要素を構成する微細な構成を印刷要素と呼ぶ。印刷模様（３）は、情報部（４Ａ）を構成する印刷要素である情報要素（４ａ）と、潜像カモフラージュ部（４Ｂ）を構成する印刷要素である潜像カモフラージュ要素（４ｂ）と、潜像部（５Ａ）を構成する印刷要素である潜像要素（５ａ）と、情報カモフラージュ部（５Ｂ）を構成する印刷要素である情報カモフラージュ要素（５ｂ）を有する。それぞれ四つの印刷要素が互いに重なり合うことなく特定のピッチ（Ｐ１）で特定の方向（図中Ｓ１方向）に連続して配置されて印刷模様（３）を構成している。
【００３０】
図４に第一の画像（４）の具体的な構成を示す。第一の画像（４）の情報部（４Ａ）は、特定の画線幅（Ｗ１）の情報要素（４ａ）が特定のピッチ（Ｐ１）で特定の方向（図中Ｓ１方向）に連続して配置されて成り、第一の有意情報であるアルファベットの「Ａ」の文字をポジの状態で表して成る。また、第一の画像（４）の潜像カモフラージュ部（４Ｂ）は、特定の画線幅（Ｗ２）の潜像カモフラージュ要素（４ｂ）が特定のピッチ（Ｐ１）で特定の方向（図中Ｓ１方向）に連続して配置されて、第二の有意情報であるアルファベットの「Ｂ」の文字をネガの状態で表して成る。
【００３１】
図５に第二の画像（５）の具体的な構成を示す。第二の画像（５）の潜像部（５Ａ）は、特定の画線幅（Ｗ３）の潜像要素（５ａ）が特定のピッチ（Ｐ１）で特定の方向（図中Ｓ１方向）に連続して配置されて成り、第二の有意情報であるアルファベットの「Ｂ」の文字をポジの状態で表して成る。また、第二の画像（５）の情報カモフラージュ部（５Ｂ）は、特定の画線幅（Ｗ４）の情報カモフラージュ要素（５ｂ）が特定のピッチ（Ｐ１）で特定の方向（図中Ｓ１方向）に連続して配置されて、第一の有意情報であるアルファベットの「Ａ」の文字をネガの状態で表して成る。また、本実施の形態においては、情報カモフラージュ要素（５ｂ）の内部に情報要素（４ａ）と同じ画線幅（Ｗ１）で同じピッチ（Ｐ１）で同じ位相に配された情報反転部（７）が存在する。本実施の形態においては、この白抜きとなる情報反転部（７）に情報要素（４ａ）が図３に示すように完全に重なりあうことで印刷模様（３）を構成して成る。
【００３２】
情報部（４Ａ）と情報カモフラージュ部（５Ｂ）とはそれぞれ第一の有意情報を表し、二つの画像の関係は一方の画像がもう一方の画像をネガポジ反転した関係にある。また、潜像部（５Ａ）と潜像カモフラージュ部（４Ｂ）とはそれぞれ第二の有意情報を表し、二つの画像の関係は一方の画像がもう一方の画像をネガポジ反転した関係にある。それぞれの二つの画像の関係は一方の画像がもう一方の画像をネガポジ反転した関係にさえあれば良い。
【００３３】
情報部（４Ａ）と情報カモフラージュ部（５Ｂ）を正規の位置で嵌めあわせた場合、透過光下において第一の有意情報が隠蔽される構成を有し、また潜像部（５Ａ）と潜像カモフラージュ部（４Ｂ）を正規の位置で嵌めあわせた場合、反射光下において第二の有意情報が隠蔽される構成を有する。
【００３４】
第一の画像（４）を構成する情報部（４Ａ）と潜像カモフラージュ部（４Ｂ）とは、各部を構成する要素同士が重なり合うことはないため、当然のことながら、それぞれの面積率に差異が生じる。情報部（４Ａ）は、１５％以上９０％以下の面積率で構成することが望ましい。１５％未満の場合、第一の有意情報の視認性が低く成りすぎ、９０％を越えると潜像部（５Ａ）に割り当てられる面積が低下して第二の有意情報の視認性が低く成りすぎるためである。また、潜像カモフラージュ部（４Ｂ）は、５％以上３０％以下の面積率で構成することが望ましい。５％未満の場合、印刷画線が安定して表現できず、潜像部（５Ａ）をカモフラージュできない可能性が生じるためであり、また、５０％を越える場合、情報部（４Ｂ）に割り当てられる面積が低下して第一の有意情報の視認性が低く成りすぎるためである。
【００３５】
第二の画像（５）を構成する潜像部（５Ａ）と情報カモフラージュ部（５Ｂ）とは、各部を構成する要素同士が重なり合うことはないため、当然のことながら、それぞれの面積率に差異が生じる。潜像部（５Ａ）は、１０％以上５０％以下の面積率で構成することが望ましい。１０％未満の場合、第二の有意情報の視認性が低く成りすぎ、５０％を越えると情報部（４Ａ）に割り当てられる面積が低下して第一の有意情報の視認性が低く成りすぎるためである。また、情報カモフラージュ部（５Ｂ）は、情報部（４Ａ）と同じか、やや大きな面積率である必要があることから、1５％以上９０％以下の面積率で構成することが望ましい。これは、情報カモフラージュ要素（５ｂ）の面積率が、情報要素（４ａ）の面積率より小さい場合、透過光下で情報要素（４ａ）を情報カモフラージュ要素（５ｂ）で隠蔽することが不可能となり、本発明の特徴である画像のチェンジ効果が損なわれるためである。
【００３６】
また、潜像要素（５ａ）と潜像カモフラージュ要素（４ｂ）は、反射光下で等色である必要があり、潜像要素（５ａ）を構成する第二のインキが、潜像カモフラージュ要素（４ｂ）を構成する第一のインキよりも淡い（明度が高い）ことを考慮すると、潜像要素（５ａ）の画線幅（Ｗ３）は、潜像カモフラージュ要素（４ｂ）の画線幅（Ｗ２）よりも大きい必要がある。すなわち、潜像要素（５ａ）の画線幅（Ｗ３）と潜像カモフラージュ要素（４ｂ）の画線幅（Ｗ２）の比率は、第一のインキの反射濃度と第二のインキの反射濃度の比率とほぼ同じである。
【００３７】
第一の画像（４）と第二の画像（５）の印刷順序については、どちらが先でも後でも問題ない。重要なのは、それぞれの画像要素を構成する印刷要素が重なり合わず構成されることである。二つ以上の印刷要素が重なり合った場合には、本来、隠蔽されていなければならない画像がわずかに可視化されたり、出現する画像の濃淡に変化が生じたりするため、避けなければならない。ただし、印刷作業における刷り合わせの冗長性を確保するために、それぞれの画像要素の輪郭部をわずかにオフセットし、互いの画像同士がわずかにオーバーラップした領域を設けるような実務作業上の工夫は、出現する画像に影響が少ない範囲で実施すれば良い。
【００３８】
ここで第一の画像（４）を形成するインキである第一のインキと、第二の画像（５）を形成するインキである第二のインキの色彩の関係について説明する。第一のインキと第二のインキは透明以外の基材と異なる色彩を有し、同じ色相であって、反射光下において第一のインキは第二のインキよりも相対的に濃い（明度が低い）色彩であって、加えて、透過光下において第一のインキと第二のインキは等色である必要がある。
【００３９】
なお、本明細書中でいう明度とは色の明るさを指し、高い場合には明るく、低い場合には暗い。また、彩度とは、色の鮮やかさの度合いを指す。加えて、本発明における「色彩」とは、色相、彩度及び明度の概念を含んで色を表したものであり、また、「色相」とは、赤、青、黄といった色の様相のことであり、具体的には、可視光領域（４００〜７００ｎｍ）の特定の波長の強弱の分布を示すものである。また、本発明における「色相が同じ」とは、二つの色において赤、青、黄といった色の様相が一致し、可視光領域の波長の強弱の分布が二つの色において相関を有することである。
【００４０】
「第一のインキの明度が低く、第二のインキの明度は高い」条件とは前述のとおり、相対的な関係を満たすことが絶対条件であるが、その具体的な数値の差異としては、第一のインキと第二のインキのＬ*ａ*ｂ*表色系の明度Ｌ*の値は、その明度差ΔＬ＝５以上異なっている必要があり、より好ましくは１０以上異なっていることが望ましい。ΔＬが５未満の場合、拡散反射光下における情報部（４Ａ）と情報カモフラージュ部（５Ｂ）の間の明度差が充分でなく、第一の有意情報の視認性が低くなりすぎるため、好ましくない。
【００４１】
また、第一のインキと第二のインキの色彩は、観察者が特に注意を払うことなく一瞥しただけで、二つの領域が同じ色彩ではなく、異なる色彩であると感じる程度に色彩が異なっている必要がある。具体的にはＬ*ａ*ｂ*表色系における色差ΔＥが６以上異なる必要があり、更に色差ΔＥが１２以上離れていることが望ましい。ΔＥが６未満の場合、前述した明度差が不十分な場合と同様に、拡散反射光下における情報部（４Ａ）と情報カモフラージュ部（５Ｂ）の間の色差が充分でなく、第一の有意情報の視認性が低くなりすぎるため、好ましくない。
【００４２】
続いて、第一のインキと第二のインキの光透過性について説明する。第一のインキの光透過性は高く、第二のインキの光透過性は低い必要がある。高い、低いの基準については、二つのインキの透過性が相対的にこの関係を満たせば良い。これは、本発明の透過光下での効果を生じさせるために必須となる特性である。この特性を容易に満足させるためには、第二のインキに高い光遮断性を付与すれば良い。具体的には、二酸化チタンや酸化鉄、酸化亜鉛等のような光反射性の高い金属顔料を含んだインキを用いたり、二酸化ケイ素や炭酸カルシウム等を含んだインキを用いることもできる。あるいは、特殊な金属顔料を含まない一般的なインキを用いて、厚い膜厚で印刷することで高い光遮断性を実現しても良い。
【００４３】
一方、第一のインキは、単に第二のインキより光透過性が高ければ良いため、一般的な着色顔料や着色染料を用いても良い。効果をより強調したい場合には、従来技術同様に透かしインキ（浸透型インキ）に着色染料や着色顔料を混合したインキを用いても問題ない。このようなインキを「有色浸透インキ」と呼ぶが、このインキについては、後述する。
【００４４】
本発明の構成において、第一のインキと、第二のインキは、反射光下では色彩が異なって観察される一方で、透過光下では等色に変化する必要がある。透過時のそれぞれの領域の色彩は、それぞれの領域の光透過性に依存して、反射光下の色彩から変化する。光透過性が低い領域は、主に明度が低下して暗い色彩に変化し、光透過性が高い領域は、主に明度が増加して明るい色彩へと変化する。そのため、反射光下の色彩の明度が低い第一のインキで形成された第一の画像（４）の透過光下の色彩は明度が上昇し、反射光下の色彩の明度が高い第二のインキで形成された第二の画像（５）の色彩は明度が低下するため、それぞれの反射光下の色彩とそれぞれの光透過性を制御することで、透過光下において二つのインキで形成された画像の色彩をバランスさせることで等色とすることができる。
【００４５】
加えて、透過光下では明度だけでなく、彩度も変化する。透過光下では第一のインキの彩度は相対的に上昇する一方で、第二のインキの彩度は低下する。このため、反射光下における第一のインキの彩度を低く、第二のインキの彩度を高く設計しておけば透過光下で等色と成り易い。鮮やかな色彩は彩度が高く、白や灰色、黒等の無彩色に近い色ほど値がゼロに近い。それぞれのインキで形成される第一の画像（４）、第二の画像（５）の明度だけでなく、彩度も大きく異なる場合には色彩表現もより豊かになるため、印刷模様（３）の見栄えが良くなり、より好ましい。また、明度が異なる色彩は、同じインキを用いて面積率の違いによってある程度は表現できるが、大きく彩度が異なる色彩は同じインキを用いて単純な面積率の違いだけで表現することは困難であるため、より再現することが難しく、偽造抵抗力にもより優れる形態となる。
【００４６】
以上のように、二つのインキの色彩設計が適切であった場合、例えば第二のインキを酸化チタン含有のインキとし、第一のインキを通常の着色インキとした場合、二つのインキの間に反射光下の色差ΔＥに１０前後の差があった場合でも、透過光下においてこの差異をほぼゼロとすることができる。加えて、例えば第一のインキに後述する有色浸透インキを用いた場合には、反射光下の色差ΔＥに２０前後の差があった場合でも、透過光下においてこの差異をほぼゼロとすることができる。
【００４７】
以上の構成で形成した透過潜像印刷物（１）の効果を図６に説明する。図６（ａ）に示すように、透過潜像印刷物（１）を反射光下で観察した場合、第一のインキは第二のインキよりも明度が低く、濃度が高いため、対の関係にある画像である情報部（４Ａ）と情報カモフラージュ部（５Ｂ）は、第一のインキで形成された情報部（４Ａ）がより濃い（明度が低く）状態で視認され、第一の有意情報が可視化された状態となる。また、もう一方の対の関係にある画像である潜像部（５Ａ）と潜像カモフラージュ部（４Ｂ）については、潜像要素（５ａ）の画線幅（Ｗ３）と潜像カモフラージュ要素（４ｂ）の画線幅（Ｗ２）の比率は、第一のインキの反射濃度と第二のインキの反射濃度の比率とほぼ同じであるため、反射光下では潜像部（５Ａ）と潜像カモフラージュ部（４Ｂ）は等色に視認され、第二の有意情報は隠蔽された状態となる。以上のように、反射光下においては、第一の有意情報が可視化され、第二の有意情報が隠蔽されるため、図６（ａ）に示すように印刷模様（３）の中には第一の有意情報のみが出現する。
【００４８】
一方、透過光下では第一のインキと第二のインキは等色として視認されるため、図６（ｂ）に示すように、透過潜像印刷物（１）を透過光下で観察した場合、情報部（４Ａ）と情報カモフラージュ部（５Ｂ）は等色となって、第一の有意情報が隠蔽された状態となる。また、潜像部（５Ａ）と潜像カモフラージュ部（４Ｂ）については、潜像要素（５ａ）の画線幅（Ｗ３）と潜像カモフラージュ要素（４ｂ）の画線幅（Ｗ２）の比率が、そのまま視認される画像の濃さの違いとなるため、大きな面積率で形成された第二の有意情報が可視化される。以上のように、透過光下においては、第一の有意情報が隠蔽され、第一の有意情報が可視化されるため、図６（ｂ）に示すように印刷模様（３）の中には第二の有意情報のみが出現する。
【００４９】
以上のように本発明の透過潜像印刷物（１）は、印刷模様（３）の表す情報が反射光下では第一の有意情報であり、透過光下では第二の有意情報が視認できることを特徴とする。
【００５０】
なお、本発明における「反射光下での観察」とは、観察者の視点が、正反射光がほとんど存在しない領域中にあって透過潜像印刷物（１）を可視光下で観察している状況を示しており、本発明における「透過光下での観察」とは、観察者の視点が、透過光下の領域中にあって、透過潜像印刷物（１）を観察している状況を示している。
【００５１】
本発明の透過潜像印刷物（１）の最大の特徴は、色相は同じだが、明度及び彩度の異なる非等色ペアインキを用いて画像を形成することにある。反射光下と透過光下で視認される画像が変化することを基準として判別ができるという真偽判別機能は、等色ペアインキを用いて形成する従来の技術と基本的には変わらず、この機能が損なわれることはない。その一方で、従来の技術のように等色ペアインキを用いない構成とした場合、印刷物の色彩設計上、以下の大きな利点が生まれる。
【００５２】
発明が解決しようとする課題でも触れたが、等色ペアインキを用いて形成する従来の潜像印刷物において、画像が変化する印刷画像は、情報を濃淡の変化でのみで表せないことから、モノトーン調の画像にしか成り得ないため、色彩表現に乏しい。これは等色ペアインキを用いた印刷画像自体に対する問題であるが、等色ペアインキを用いた印刷画像を配置するセキュリティ印刷物自体に対しても、色彩設計上の問題が生じる場合が多い。この問題について以下に記す。
【００５３】
オフセット印刷のようなインキ転移量の少ない印刷方式を用いて、本発明のように画像を変化させる特殊な効果を有する印刷画像を形成した場合、印刷画像がモノトーンとなるだけでなく、その印刷画像の色彩自体にも制限が設けられることが多い。具体的には淡い色彩に制限されることが多い。
【００５４】
これは、優れた光学変化特性を有する最新の機能性顔料を含んだインキを用いたとしても、オフセット印刷等で転移させられるインキ転移量には限界があり、結果として、形成した画像で実現できる色彩変化等は極めて小さくなるため、もともとの印刷画像が高い濃度であった場合には、その変化が認識されづらいことが一因にある。そのため、例えば、引用文献２から引用文献４までに挙げた潜像印刷物を印刷する場合、極端に淡い色彩で等色の関係にある等色ペアインキが必要になる。
【００５５】
一方、印刷機が一度に使用できるインキの色数には当然のことながら制約があり、例えば、セキュリティ印刷物を印刷するために四色印刷機を用いた場合、この潜像画像を印刷するためだけに、等色ペアインキを使用しなければならず、同じ色彩のインキによって二色分のユニットが占有される。
【００５６】
また、この二色が極端に淡い色彩である場合には、潜像画像以外のセキュリティ印刷物に必要とされる他の印刷要素、例えば、地紋模様や彩紋、文字、マーク、記号、記載事項等への流用も困難である。そのため、一般的な四色印刷機を使用した場合には、潜像画像以外の領域を二種類の色ですべて形成する必要がある。
【００５７】
例え機能が優先されるセキュリティ印刷物であっても、印刷物上の色数が多く、色鮮やかな表現が成されたものがより見栄えが良いことはいうまでもなく、潜像画像の形成にあたって、前述したように流用の効かない極端に淡い二種類のインキを使用しなければならないことは、セキュリティ印刷物全体としての色彩設計上の大きな負荷となっていた。
【００５８】
本発明では、印刷模様（３）の形成にあたって従来のような等色ペアインキではなく、明度の大きく異なった非等色ペアインキを用いることで、この問題を解決した。従来のような極めて淡い等色ペアインキでなく、一定の濃度を有する二つの色彩の異なるインキを用いることで、真偽判別機能を損なうことなく、反射光下における印刷模様（３）の色彩表現を豊かにすることを可能としたことに加え、それぞれ色彩の異なるインキを印刷画像以外の印刷要素、すなわち、地紋模様や彩紋、文字、マーク、記号、記載事項等への流用もでき、印刷模様（３）が形成されるセキュリティ印刷物自体の色彩を豊かにすることができる。現実の問題としてセキュリティ印刷物を製造する場合、一つの印刷機を使用して透過潜像印刷物（１）のみを形成すれば良いわけでなく、セキュリティ印刷物全体を形成する必要があり、印刷物全体に対して異なった複数の色彩を使用できることは大きな利点である。
【００５９】
また、もう一つの本発明の画線構成上の大きな特徴は、透過光下において第一の有意情報を消失させる働きを成す情報カモフラージュ部（５Ｂ）の存在にある。従来の技術においては、反射光下で視認される第一の有意情報を透過光下で隠蔽する働きを成す画像要素（情報カモフラージュ部（５Ｂ））が存在しなかったことから、透過光下で第一の有意情報を消失させるためには、反射光下における第一の有意情報の視認性を制限せざるを得ないという問題があった。本発明においては、情報カモフラージュ部（５Ｂ）によって、第一の有意情報の視認性を高く形成したとしても、透過光下において第一の有意情報を消失させることが可能となった。このため、従来の技術と比較して、反射光下の第一の有意情報の視認性に優れる。
【００６０】
また、第二のインキだけでなく、第一のインキにも特殊な機能性インキを用いても良い。第一のインキに用いることが可能な機能性インキとして、最も効果が高い、「有色浸透インキ」について説明する。有色浸透インキとは、印刷した画像が透過光下で透けて見える（非印刷部よりも明るく観察される）効果を有する浸透成分を含む浸透型インキに、色材を混合することで形成したインキである。
【００６１】
有色浸透インキとは、基材に印刷した場合に、反射光下では、はっきりと視認できる色彩を有した画像を形成できる一方、透過光下では、その画像を極端に淡く変化させる効果を有する。言い換えると、通常の着色インキと比較して、「透かすと画像がより淡く見える」効果を有したインキである。有色浸透インキは、浸透成分と色材とを含んで構成され、浸透成分が基材内部の光の散乱を抑制することで生じさせる透過率の上昇によって、画像が淡く見える効果を実現している。
【００６２】
浸透成分が透かしインキとして一般に販売されているインキに相当する程度の性能を備えていれば、一定量の色材を混合して「透かすと画像が淡く見える」効果を有する有色浸透インキとすることは可能である。有色浸透インキに混合する色材は、着色顔料や着色染料として販売されている印刷色材を用いれば良い。印刷物として市場に流通させることを目的とすると、長期にわたる堅牢性が得られやすい着色顔料を用いることが望ましい。
【００６３】
なお、本発明における浸透成分とは、印刷時に用紙内部へと浸透して印刷領域（２Ａ）の透過率を上昇させる働きを成す成分のことを指し、具体的には、セルロースの屈折率（１．４９）に近い樹脂やワックス、動植物油等を指す。これらの成分は、印刷した場合に用紙の中に存在するセルロース繊維間の空隙を埋め、主として用紙内部における光の散乱を抑制することで光の透過率を上げる働きを成す。
【００６４】
また、本発明における「浸透型インキ」とは、前述した浸透成分を含み、一般に透かしインキとして販売されているインキを指す。このようなインキとしては、Ｔ＆Ｋ  ＴＯＫＡ社製ベストワン透かしインキ、帝国インキ社製ユニマーク、東洋インキ社製ＳＭＸすかしインキ、合同インキ製Ｅ２ニス等が存在する。本発明の有色浸透インキは、これらのインキを用いても作製可能である。
【００６５】
第二のインキには光遮断性に優れる機能性インキを用い、一方の第一のインキに有色浸透インキを用いた場合、第一のインキで形成される第一の画像（４）の光透過性はより高く、第二のインキで形成される第二の画像（５）の光透過性はより低く成るため、それぞれのインキの反射光下における明度や彩度の違いを大きくすることができる。すなわち、第一のインキの明度や彩度をより低く、第二のインキの明度や彩度をより高くすることで、第一のインキと第二のインキの色差を大きくすることができる。この場合、反射光下における情報部（４Ａ）と情報カモフラージュ部（５Ｂ）の異色性が最も高まり、反射光下と透過光下での色彩の変化の割合も大きくなることから、反射光下での第一の有意情報の視認性を上げたい場合には望ましい構成である。
【００６６】
また、第一のインキ及び第二のインキに脱刷や印刷不良等の発生の有無を見極めることや真偽判別性の向上を目的として、蛍光顔料や蛍光染料、燐光顔料、蓄光顔料等の発光顔料や発光染料、赤外線吸収材料や赤外反射材料等の機能性材料を添加しても何ら問題ない。
【００６７】
本発明の透過潜像印刷物（１）の印刷方式は、オフセット印刷で十分な効果を発揮するが、製造者のシーズに応じてフレキソ印刷やグラビア印刷、凹版印刷やスクリーン印刷等で形成しても良い。
【００６８】
実施の形態では、それぞれの画像を構成する各印刷要素を画線によって形成したが、これに限定されるものではなく、各印刷要素を画素で形成しても良く、あるいは画線や画素の組合せで形成しても良い。図７に印刷模様（３）を画素で形成した場合の印刷模様（３´）の構成の概要を示す。
【００６９】
構造の概要は図２に示した画線タイプの印刷模様（３）の構成と全く同じであり、印刷模様（３´）は、第一のインキで形成される第一の画像（４´）と第二のインキで形成される第二の画像（５´）から成り、第一の画像（４´）は情報部（４Ａ´）、潜像カモフラージュ部（４Ｂ´）、第二の画像（５´）は潜像部（５Ａ´）、情報カモフラージュ部（５Ｂ´）を有する。それぞれの画像を形成する印刷要素の構成は、図８に示す通りであり、基本的な構造は図３に示した画線タイプの印刷模様（３´）と同じである。また、第一のインキ及び第二のインキに必要とされる特性やその他印刷要素に求められる構造は基本的には同じである。このように、印刷要素を画線ではなく、画素にしたとしても問題なく印刷模様（３´）を形成することができる。
【００７０】
本発明における「画線」とは、最小の印刷要素である印刷網点を一定の距離、特定の方向に対して連続に配置した印刷要素であって、直線、曲線、波線、分断線及び分岐線等の構成を含む。また、「画素」とは最小の印刷要素である印刷網点を密集させて構成した印刷要素であって、円、多角形、図形、文字、記号及び数字等の構成を含む。
【００７１】
以上のように、本発明の透過潜像印刷物の構成は様々な形態を取り得る。以下、前述の発明を実施するための最良の形態にしたがって、具体的に作製した透過潜像印刷物の実施例について詳細に説明するが、本発明は、この実施例に限定されるものではない。
【実施例】
【００７２】
本実施例は、実施の形態で説明した形態と同様な構成の印刷物を用いて、図９から図１４までを用いて説明する。図９に実施例における透過潜像印刷物（１−１）を示す。透過潜像印刷物（１−１）は、基材（２−１）の上に、緑系の色を有した印刷模様（３−１）が形成されて成る。基材（２−１）には、一般的な白色上質紙である日本製紙社製しらおいを使用した。
【００７３】
印刷模様（３−１）は、図１０に示す第一のインキで形成される画像である第一の画像（４−１）と第二のインキで形成される第二の画像（５−１）から構成した。第一の画像（４−１）は、情報部（４Ａ−１）と潜像カモフラージュ部（４Ｂ−１）を有し、第二の画像（５−１）は、潜像部（５Ａ−１）及び情報カモフラージュ部（５Ｂ−１）を有する。第一のインキの色彩は深緑色とし、第二のインキの色彩は黄緑色としたため、反射光下においては情報部（４Ａ−１）が深緑色であって、その背景は黄緑色にやや緑色を加えた程度のやや濃い黄緑色の色彩となった。
【００７４】
図１１に、印刷模様（３−１）の具体的な画線構成を示す。印刷模様（３−１）は、情報部（４Ａ−１）を構成する印刷要素である情報要素（４ａ−１）と、潜像カモフラージュ部（４Ｂ−１）を構成する印刷要素である潜像カモフラージュ要素（４ｂ−１）と、潜像部（５Ａ−１）を構成する印刷要素である潜像要素（５ａ−１）と、情報カモフラージュ部（５Ｂ−１）を構成する印刷要素である情報カモフラージュ要素（５ｂ−１）を有する。それぞれ四つの要素が互いに重なり合うことなく特定のピッチ（Ｐ１）で、特定の方向（図中Ｓ１方向）に連続して配置されて印刷模様（３−１）を構成した。
【００７５】
図１２に第一の画像（４−１）を示す。情報部（４Ａ−１）は、画線幅０．２ｍｍの情報要素（４ａ−１）が、０．４ｍｍピッチで第一の方向に複数配置されて成り、潜像カモフラージュ部（４Ｂ−１）は、画線幅０．０４ｍｍの潜像カモフラージュ要素（４ｂ−１）が、０．４ｍｍピッチで第一の方向に複数配置されて成る。
【００７６】
図１３に第二の画像（５−１）を示す。潜像部（５Ａ−１）は、画線幅０．１６ｍｍの潜像要素（５ａ−１）が０．４ｍｍピッチで第一の方向に複数配置されて成り、情報カモフラージュ部（５Ｂ−１）は、画線幅０．２２ｍｍの情報カモフラージュ要素（５ｂ−１）が、０．４ｍｍピッチで第一の方向に複数配置されて成る。また、情報カモフラージュ要素（５ｂ−１）の中には、情報要素（４ａ−１）と同じ０．２ｍｍ幅で、同じ０．４ｍｍピッチ（Ｐ１）で、同じ位相に配された情報反転部（７−１）が存在する。
【００７７】
以上のような構成とし、第一のインキは、表１に示すインキを用いた。この第一のインキは、高い光透過性を有する浸透成分を含んだ深緑色の有色浸透インキである。
【００７８】
【表１】
2016016649.tif 000003
【００７９】
一方の第二のインキには、二酸化チタンを大量に含有する淡い黄緑色のインキ（ベストワン  Ｐａｎｔｏｎ３８１  淡淡緑  Ｔ＆Ｋ  ＴＯＫＡ社製）を用いた。この第一のインキは高い光遮断性を有する。また、第一のインキは第二のインキの約４倍の反射濃度を有する色彩の関係とした。以上の第一のインキ及び第二のインキを用いて前述の構成で印刷模様（３−１）をオフセット印刷で印刷した。
【００８０】
以上の構成で作製した透過潜像印刷物（１−１）の効果について、図１４を用いて以下に説明する。図１４（ａ）に示すように、透過潜像印刷物（１−１）を反射光下で観察した場合、観察者（９−１）には、情報部（４Ａ−１）が深緑色で、それ以外の部分がやや濃い黄緑色と認識され、色彩の差で表現された第一の有意情報であるアルファベットの「Ａ」の文字が視認された。このとき、第二の有意情報は、第一の有意情報のコントラストに隠蔽されて不可視であった。
【００８１】
また、図１４（ｂ）に示すように、透過潜像印刷物（１−１）を透過光下で観察した場合、観察者（９−１）には、情報部（４Ａ−１）と情報カモフラージュ部（５Ｂ−１）の色彩が等色となって第一の有意情報が消失して淡い黄緑色に変化し、潜像部（５Ａ−１）と潜像カモフラージュ部（４Ｂ−１）の面積率の差で表現された第二の有意情報であるアルファベットの「Ｂ」の文字が濃い黄緑色で視認された。
【００８２】
以上のように本発明の透過潜像印刷物（１−１）において、印刷模様（３−１）の中の情報が反射光下では第一の有意情報に、透過光下では第二の有意情報に変化する効果を有することが確認できた。
【符号の説明】
【００８３】
１、１−１                透過潜像印刷物
２、２−１                基材
２Ａ                      印刷領域
３、３’、３−１            印刷模様
４、４’４−１            第一の画像
４Ａ、４Ａ’、４Ａ−１    情報部
４ａ、４ａ’、４ａ−１    情報要素
４Ｂ、４Ｂ’、４Ｂ−１    潜像カモフラージュ部
４ｂ、４ｂ’、４ｂ−１    潜像カモフラージュ要素
５、５’５−１            第二の画像
５Ａ、５Ａ’、５Ａ−１    潜像部
５ａ、５ａ’、５ａ−１    潜像要素
５Ｂ、５Ｂ’、５Ｂ−１    情報カモフラージュ部
５ｂ、５ｂ’、５ｂ−１    潜像カモフラージュ要素
７、７−１                情報反転部
８、８−１                光源
９、９−１                観察者の視点
【図１】
2016016649.tif 000004
【図２】
2016016649.tif 000005
【図３】
2016016649.tif 000006
【図４】
2016016649.tif 000007
【図５】
2016016649.tif 000008
【図６】
2016016649.tif 000009
【図７】
2016016649.tif 000010
【図８】
2016016649.tif 000011
【図９】
2016016649.tif 000012
【図１０】
2016016649.tif 000013
【図１１】
2016016649.tif 000014
【図１２】
2016016649.tif 000015
【図１３】
2016016649.tif 000016
【図１４】
2016016649.tif 000017